(57)【要約】      （修正有）【課題】本考案は、サポート効果（さらに多様な硬さ）及び塑形（フィット性）效果を備え、異なる使用者により効果的に適応するエアクッションの調節装置を提供する。【解決手段】少なくとも２つのエアクッション１０、調節ユニット２０、少なくとも１つの位置決め部品３０からなり、エアクッションは積層状であり、エアクッション内は弾性体を備える。調節ユニットは、少なくとも２つの弁体４０を備え、弁体は、連通弁４１、自動充填バルブ４２、作用部４３を備える。位置決め部品は、調節ユニットに可動に設けられ、そのうち１つの位置決め部品は、起動部３１を備える。位置決め部品と複数の弁体により複数層のエアクッションの内部と外部の気体の流通を制御し、圧力の大きさに応じて、高さ、低さ、柔らかさ、硬さ、塑形が自動で調整され、エアクッションの反作用力が低減され、人体への当接部が、自然且つ快適にサポートされる。【選択図】図８
0003226850.tif 000002
【実用新案登録請求の範囲】
【請求項１】
少なくとも２つのエアクッションと、調節ユニットと、少なくとも１つの位置決め部品と、からなる複数からなるエアクッションの調節装置であって、
前記少なくとも２つのエアクッションは、積層状であり、前記エアクッション内は、弾性体を備え、前記エアクッションには、空気管が連結され、
前記調節ユニットは、少なくとも２つの弁体を備え、各前記弁体は、前記各層のエアクッションの空気管にそれぞれ連結され、前記弁体は、連通弁と、自動充填バルブと、作用部を備え、前記連通弁と前記自動充填バルブは、互いに連通しており、前記連通弁には、前記空気管が連結され、前記作用部によって、前記連通弁の内部及び外部の気体の流通の有無が制御され、
前記少なくとも１つの位置決め部品は、前記調節ユニットに可動に設けられ、そのうちの１つの前記位置決め部品は、起動部を備え、前記位置決め部品が第１位置に移動すると、そのうちの１つ弁体の連通弁が起動され、前記位置決め部品が第２位置に移動すると、そのうちの別の弁体の連通弁が起動されることを特徴とする、複数からなるエアクッションの調節装置。
【請求項２】
前記調節ユニットは、箱状であり、前記調節ユニットは、貫通孔を備え、前記位置決め部品の一側は、起動部を備え、前記起動部は、前記調節ユニットの中に位置するとともに、前記起動部の一側には、押動部が連結され、前記押動部の一部の柱体には、前記貫通孔が可動に穿設され、前記押動部の別の部分は、前記調節ユニットの表面に位置することで、前記押動部は、前記調節ユニットの前記貫通孔に応じて移動するとともに、前記位置決め部品は、前記調節ユニットから外れないことを特徴とする、請求項１に記載の複数からなるエアクッションの調節装置。
【請求項３】
前記調節ユニット表面は、複数のラベルを備え、前記押動部は、突出部を備えることで、前記位置決め部品が移動する場合、異なる位置のラベルに対応し、位置決めを調整する際の段数の位置を提示することを特徴とする、請求項２に記載の複数からなるエアクッションの調節装置。
【請求項４】
前記調節ユニットの内側の壁は、複数の２つの互いに対応する係止溝を備え、前記起動部の両側は、２つの互いに対応する係止縁を備え、前記係止縁は、前記係止溝に係止され、前記調節ユニットは、プラスチック材料から選択され、それにより、前記係止縁を前記係止溝から簡単に移動させて取り出すとともに、別の係止溝に再び係止させ、多段階による移動の調整と位置決めを可能にする効果が得られることを特徴とする、請求項１に記載の複数からなるエアクッションの調節装置。
【請求項５】
構造の実施例において、前記起動部は、Ｕ形部を備え、前記Ｕ形部の両側の下方には、突出状の第１加加圧部と、第２加加圧部が少なくとも設けられ、前記弁体の作用部の側縁を押すのに用いられることを特徴とする、請求項１に記載の複数からなるエアクッションの調節装置。
【請求項６】
前記第１加加圧部と、前記第２加加圧部は、斜面部を備え、弁体の作用部の側縁が押される際に生じる抵抗力を分散させるのに用いられることを特徴とする、請求項５に記載の複数からなるエアクッションの調節装置。
【請求項７】
前記連通弁には、貫通孔が設けられ、前記連通弁内は、作動軸を備え、前記作動軸には、前記連通弁の前記貫通孔が可動に穿設されるとともに、前記作用部に連結され、前記作動軸の下方には、階部が設けられ、前記階部の下方は、第１弾性体の弾性によって当接されることで、前記階部により前記貫通孔は、密封されることを特徴とする、請求項１に記載の複数からなるエアクッションの調節装置。
【請求項８】
前記自動充填バルブには、開孔部が設けられ、前記自動充填バルブ内は、気密部品を備え、前記気密部品は、弾性材料から選択され、前記気密部品の上方は、第２弾性体の弾性によって当接されることで、前記気密部品により開孔部は、密封されることを特徴とする、請求項１に記載の複数からなるエアクッションの調節装置。
【請求項９】
別の前記位置決め部品は、起動部を備え、そのうちの別の前記位置決め部品が移動する場合、そのうちさらに別の弁体の連通弁を起動させるのに用いられることを特徴とする、請求項１に記載の複数からなるエアクッションの調節装置。
【考案の詳細な説明】
【技術分野】
【０００１】
本考案は、調節装置に関し、特に、複数からなるエアクッションの調節装置に関する。
【背景技術】
【０００２】
現在、エアクッションの空気制御構造は、いずれも、高さ、低さ、柔らかさ、硬さ、塑形を自動で調整することができず、操作が不便であるとともに、エアクッションの高さ、塑形を正確に微調整することができない。
【０００３】
従って、本考案者は、高さ、低さ、柔らかさ、硬さ、塑形を自動で調整することのできるエアクッション自動空気制御構造をすでに申請しているが、そのエアクッションは一層のみであるため、サポート効果（硬さ）及び塑形（フィット性）效果が理想的ではない。
【０００４】
さらに、参照する台湾特許第Ｍ４５３４５４号において、エアクッション自動空気制御構造は、各エアクッションの高さ及び飽和度を調整且つ設定することができるが、その２つのエアクッションは、平面状に位置するのみで積層状ではないとともに、そのバルブ構造は、完全に開示されていない。従って、そのサポート効果（硬さ）及び塑形（フィット性）效果も、理想的ではないため、異なる使用者にさらに効果的に適用することができない。
【先行技術文献】
【特許文献】
【０００５】
【特許文献１】台湾特許第Ｍ４５３４５４号明細書
【考案の概要】
【考案が解決しようとする課題】
【０００６】
本考案は、主に、さらに優れたサポート効果（さらに多様な硬さ）及び塑形（さらに優れたフィット性）を備えるとともに、より調整しやすく、異なる使用者にさらに効果的に対応することのできる複数からなるエアクッションの調節装置を提供することを目的とする。
【課題を解決するための手段】
【０００７】
上述の目的を達成するため、本考案は、枕、クッション等に応用することができ、少なくとも２つのエアクッションと、調節ユニットと、少なくとも１つの位置決め部品と、からなる。前記エアクッションは、積層状であり、前記エアクッション内は、弾性体を備え、前記エアクッションには、空気管が連結される。前記調節ユニットは、少なくとも２つの弁体を備え、各前記弁体は、前記各層のエアクッションの空気管にそれぞれ連結され、前記弁体は、連通弁と、自動充填バルブと、作用部を備え、前記連通弁、前記自動充填バルブは、互いに連通しており、前記連通弁には、前記空気管が連結され、前記作用部によって、前記連通弁の内部及び外部の気体の流通の有無が制御される。前記位置決め部品は、前記調節ユニットに可動に設けられ、そのうちの１つの前記位置決め部品は、起動部を備えることで、前記位置決め部品が第１位置に移動すると、そのうちの１つ弁体の連通弁が起動され、前記位置決め部品が第２位置に移動すると、そのうちの別の弁体の連通弁が起動される。
【考案の効果】
【０００８】
位置決め部品及び複数の弁体によって複数層のエアクッションの内部と外部の気体の流通の有無を制御し、エアクッションにより、圧力の大きさに応じて（例えば、頭部、頸部、臀部）、高さ、低さ、柔らかさ、硬さ、塑形を自動で調整することができることで、エアクッションの反作用力が低減され、当接部（例えば、頭部、頸部、臀部）は、自然且つ快適にサポートされるだけでなく、さらに優れた調整機能を備えるサポート効果（さらに多様な硬さ）及び塑形（さらに優れたフィット性）效果を備えることで、異なる使用者に、より効果的に対応することができる。
【０００９】
さらに、エアクッションが受ける圧力が消失すると、自動で再び空気が充填され元の状態に戻ることで、弾性体における弾性部の疲労変形を防ぐことができる。
【図面の簡単な説明】
【００１０】
【図１】本考案における調節ユニットの斜視図である。
【図２】本考案における調節ユニットの斜視分解図である。
【図３】本考案における弁体の斜視分解図である。
【図４】本考案における起動部が静止状態から移動した場合の動作を示した断面図である。
【図５】本考案における起動部が静止状態から移動した場合の動作を示した断面図である。
【図６】本考案における起動部が静止状態から移動した場合の動作を示した断面図である。
【図７】本考案における調節ユニットの上視図である。
【図８】本考案の断面図である。
【図９】位置決め部品を第１位置まで移動させるために力が加えられた場合の使用実施例を示す断面図である。
【図１０】位置決め部品を第２位置まで移動させるために力が加えられた場合の使用実施例を示す断面図である。
【図１１】本考案における調節ユニットの断面図である。
【図１２】位置決め部品を第１位置まで移動させるために力が加えられた場合の調節ユニットの断面図である。
【図１３】位置決め部品を第２位置まで移動させるために力が加えられた場合の調節ユニットの断面図である。
【図１４】本考案の第２構造における実施例の断面図である。
【考案を実施するための形態】
【００１１】
参照する図１から図８に示す通り、本考案は、枕、クッション等に応用することができ、２つのエアクッション１０と、調節ユニット２０と、位置決め部品３０と、からなる。以下に詳細に説明する。
【００１２】
前記エアクッション１０は、積層状であり、前記エアクッション１０内は、弾性体１１を備え、前記エアクッション１０は、空気管１２に連結される。
【００１３】
前記調節ユニット２０は、２つの弁体４０を備え、各前記弁体４０には、前記各層のエアクッション１０の空気管１２がそれぞれ連結され、前記弁体４０は、連通弁４１と、自動充填バルブ４２と、作用部４３と、前記連通弁４１を備え、前記自動充填バルブ４２は、互いに連通しており、前記連通弁４１は、前記空気管１２に連結され、前記作用部４３によって、前記連通弁４１の内部及び外部の気体の流通の有無が制御される。
【００１４】
前記位置決め部品３０は、前記調節ユニット２０に可動に設けられ、前記位置決め部品３０は、起動部３１を備えることで、前記位置決め部品３０が第１位置に移動すると、そのうちの１つ弁体４０の連通弁４１が起動され、前記位置決め部品３０が第２位置に移動すると、そのうちの別の弁体４０の連通弁４１が起動される。
【００１５】
位置決め部品３０及び複数の弁体４０によって複数層のエアクッション１０の内部と外部の気体の流通の有無が制御され、エアクッション１０により、受ける圧力（例えば、頭部、頸部、臀部）の大きさに応じて、高さ、低さ、柔らかさ、硬さ、塑形を自動で調整することができることで、エアクッション１０の反作用力が低減され、当接部（例えば、頭部、頸部、臀部）は、自然且つ快適にサポートされるだけでなく、さらに優れた調整機能を備えるサポート効果（さらに多様な硬さ）及び塑形（さらに優れたフィット性）效果を備えることで、異なる使用者に、より効果的に対応することができる。さらに、エアクッション１０が受ける圧力が消失すると、自動で再び空気が充填され元の状態に戻ることで、弾性体１１の弾性部の疲労変形を防ぐことができる。
【００１６】
構造の実施例において、前記調節ユニット２０は、箱状であり、前記調節ユニット２０は、貫通孔２１を備え、前記位置決め部品３０の一側は、起動部３１を備え、前記起動部３１は、前記調節ユニット２０の中に位置するとともに、前記起動部３１の一側には、押動部３２が連結され、前記押動部３２の一部の柱体には、前記貫通孔２１が可動に穿設され、前記押動部３２の別の部分は、前記調節ユニット２０の表面に位置することで、前記押動部３２は、前記貫通孔２１に応じて移動するとともに、前記位置決め部品３０は、前記調節ユニット２０から外れない。
【００１７】
前記調節ユニット２０の表面は、複数のラベル２３を備え、前記押動部３２は、突出部を備え、前記位置決め部品３０が移動する場合、異なる位置のラベル２３に対応することで、位置決めを調整する際の段数の位置を提示する。
【００１８】
前記調節ユニット２０の内側の壁は、複数の２つの互いに対応する係止溝２２を備え、前記起動部３１の両側は、２つの互いに対応する係止縁３１１を備え、前記係止縁３１１は、前記係止溝２２に係止され、前記調節ユニット２０は、プラスチック材料から選択され、それにより、前記係止縁３１１を前記係止溝２２から簡単に移動させて取り出すとともに、別の係止溝２２に再び係止させることができ、多段階による移動の調整と位置決めを可能にする效果が得られる。
【００１９】
構造の実施例において、前記起動部３１は、Ｕ形部を備え、前記Ｕ形部の両側の下方には、突出した第１加圧部３１２と、第２加圧部３１３が設けられ、前記弁体４０の作用部４３の側縁を押すのに用いられる。
【００２０】
前記第１加圧部３１２、前記第２加圧部３１３は、斜面部を備えることで、弁体４０の作用部４３の側縁が押される際に生じる抵抗力を分散させることができる。
【００２１】
構造の実施例において、前記連通弁４１には、貫通孔４１１が設けられ、前記連通弁４１内は、作動軸４１２を備え、前記作動軸４１２には、前記貫通孔４１１が可動に穿設されるとともに、前記作用部４３に連結され、前記作動軸４１２の下方には、階部４１３が設けられ、前記階部４１３の下方は、第１弾性体４１４の弾性によって当接されることで、前記階部４１３により前記貫通孔４１１は、密封される。
【００２２】
構造の実施例において、前記自動充填バルブ４２には、開孔部４２１が設けられ、前記自動充填バルブ４２内は、気密部品４２２を備え、前記気密部品４２２は、弾性材料から選択され、前記気密部品４２２の上方は、第２弾性体４２３の弾性によって当接されることで、前記気密部品４２２により開孔部４２１は、密封される。
【００２３】
参照する図８、図１１に示す通り、位置決め部品３０が移動していない場合、前記弁体４０は、外部の気体と流通しておらず、エアクッション１０内の気体も外部の気体と流通しておらず、内部でのみ流動する。
【００２４】
この際、高さは、最高であるとともに、高い硬度を示す。
【００２５】
参照する図９、図１２に示す通り、力を加え位置決め部品３０を第１位置まで移動させると、前記起動部３１の第１加圧部３１２は、そのうちの１つ弁体４０の作用部４３を保持することで、貫通孔４１１を開け、そのうちの１つ弁体４０の連通弁４１を起動させることで、弁体４０と外部の気体が流通し、上層のエアクッション１０内の気体も外部の気体と流通する。
【００２６】
この際、高度は、最適であるとともに、わずかな硬度を示す。
【００２７】
参照する図１０、図１３に示す通り、力を加え位置決め部品３０を第２位置まで移動させると、前記起動部３１の第２加圧部３１３は、そのうちの別の弁体４０の作用部４３を保持することで、そのうちの別の弁体４０の連通弁４１を起動させることができ、弁体４０と外部の気体は流通し、下層のエアクッション１０内の気体も外部の気体と流通する。この際、上層のエアクッション１０内の気体も外部の気体と流通する。
【００２８】
この際、高度は、最低であるとともに、柔らかめ及び非常に柔らかい状態を示す。
【００２９】
参照する図８に示す通り、エアクッション１０が受ける圧力が消失すると、（例えば、頭部、頸部、臀部がエアクッション１０から離れる）、連通弁４１が起動されているかどうかに関わりなく外部の気体と流通することで、弾性体１１は、前記エアクッション１０（未図示）を弾性回復させて広げるとともに、エアクッション１０の空気圧は、自動充填バルブ４２の気密部品４２２を吸い戻すことで、開孔部４２１を開け、それにより、外部の空気は、開孔部４２１、自動充填バルブ４２、連通弁４１、空気管１２を通ってエアクッション１０に入ることで、エアクッション１０は、自動で再び空気が充填され元の状態に戻り、弾性体１１の弾性部の疲労変形を防ぐことができる。
【００３０】
ここで強調すべき点として、本考案のエアクッション１０は、弁体４０は、２つ以上であることができ、起動部３１の突出状の加圧部は、２つ以上であることができ、移動の段階数の位置も２つ以上であることができることで、起動部３１は、さらに多段階による移動の調整と位置決めを可能にする效果が得られ、さらに、エアクッション１０のより高いサポート効果（さらに多様な硬さ）及び塑形（より優れたフィット性）の適応効果が高まる。
【００３１】
参照する図１４に示す通り、本考案は、３つのエアクッション１０と、２つの位置決め部品３０と、３つの弁体４０と、からなることができ、追加されたエアクッション１０は、最上側に位置し、追加された前記位置決め部品３０も起動部３１を備え、起動部３１は、加圧部のみを備え、移動時に３つ目の弁体４０の連通弁４１を起動させるのに用いられる。従って、エアクッション１０の高いサポート効果（さらに多様な硬さ）及び塑形（より優れたフィット性）の適応効果が高まる。
【符号の説明】
【００３２】
１０  エアクッション
１１  弾性体
１２  空気管
２０  調節ユニット
２１  貫通孔
２２  係止溝
２３  ラベル
３０  位置決め部品
３１  起動部
３１１  係止縁
３１２  第１加加圧部
３１３  第２加加圧部
３２  押動部
４０  弁体
４１  連通弁
４１１  貫通孔
４１２  作動軸
４１３  階部
４１４  第１弾性体
４２  自動充填バルブ
４２１  開孔部
４２２  気密部品
４２３  第２弾性体
４３  作用部
【図１】
0003226850.tif 000003
【図２】
0003226850.tif 000004
【図３】
0003226850.tif 000005
【図４】
0003226850.tif 000006
【図５】
0003226850.tif 000007
【図６】
0003226850.tif 000008
【図７】
0003226850.tif 000009
【図８】
0003226850.tif 000010
【図９】
0003226850.tif 000011
【図１０】
0003226850.tif 000012
【図１１】
0003226850.tif 000013
【図１２】
0003226850.tif 000014
【図１３】
0003226850.tif 000015
【図１４】
0003226850.tif 000016